(57)【要約】【課題】２次転写後かつ定着前の記録媒体の表面において放電が発生してもトナーの移動が発生しにくくし、放電模様を抑えることができるようにする。【解決手段】本発明の画像形成装置は、第１像担持体と、第２像担持体と、第１像担持体及び第２像担持体と対向して配置する中間転写体と、中間転写体に第１現像剤像を転写させる第１転写手段と、中間転写体上の第１現像剤像上に、第２現像剤像を転写させる第２転写手段と、中間転写体上の現像剤像を記録媒体に転写させる第３転写手段と、中間転写体と対向する記録媒体の種類に応じて、第１転写手段及び第２転写手段に印加する電圧値を制御する制御手段を有する。【選択図】      図１
2016009085.tif 000002
【特許請求の範囲】
【請求項１】
複数種類の現像剤を用いた複数の現像剤像を形成する画像形成装置において、
第１現像剤像を担持する第１像担持体と、
第２現像剤像を担持する第２像担持体と、
前記第１像担持体及び前記第２像担持体と対向して配置する中間転写体と、
前記第１像担持体から前記中間転写体に前記第１現像剤像を転写させる第１転写手段と、
前記中間転写体上に転写された前記第１現像剤像上に、前記第２像担持体から前記第２現像剤像を転写させる第２転写手段と、
前記中間転写体上に転写された前記第１現像剤像と前記中間転写体上に転写された前記第２現像剤像とを記録媒体に転写させる第３転写手段と、
前記中間転写体と対向する前記記録媒体の種類に応じて、前記第１転写手段及び前記第２転写手段に印加する電圧値を制御する制御手段と
を備えることを特徴とする画像形成装置。
【請求項２】
前記制御手段が、
前記記録媒体が第１記録媒体のときには、前記第２転写手段に第１転写電圧値を印加し、
前記記録媒体が前記第１記録媒体のときには、前記第１転写電圧値よりも大きい第２転写電圧値を、前記第２転写手段に印加する
ことを特徴とする請求項１に記載の画像形成装置。
【請求項３】
前記記録媒体が、第１記録媒体の厚さよりも厚い第２記録媒体であり、
前記制御手段が、
前記記録媒体が第１記録媒体のときには、前記第２転写手段に第１転写電圧値を印加し、
前記記録媒体が前記第１記録媒体のときには、前記第１転写電圧値よりも大きい第２転写電圧値を、前記第２転写手段に印加する
ことを特徴とする請求項１又は２に記載の画像形成装置。
【請求項４】
前記第１記録媒体が普通紙であり、前記第２記録媒体が樹脂媒体であり、
前記制御手段が、
前記記録媒体が第１記録媒体のときには、前記第２転写手段に第１転写電圧値を印加し、
前記記録媒体が前記第１記録媒体のときには、前記第１転写電圧値よりも大きい第２転写電圧値を、前記第２転写手段に印加する
ことを特徴とする請求項２又は３に記載の画像形成装置。
【請求項５】
前記制御手段が、
前記第１転写手段に対しては所定の電圧値を印加し、
前記第２転写手段に対しては、前記記録媒体の種類に応じて可変させた電圧値を印加する
ことを特徴とする請求項１〜４のいずれかに記載の画像形成装置。
【請求項６】
環境情報を検知する環境情報検知部を備え、
前記制御手段が、前記記録媒体の種類と、前記環境情報検知部からの環境情報とに応じて、前記第１転写手段及び前記第２転写手段に印加する電圧値を制御することを特徴とする請求項１〜５のいずれかに記載の画像形成装置。
【請求項７】
前記第２転写手段が、前記中間転写体の回動方向に対して最下流に位置するものであることを特徴とする請求項１〜６のいずれかに記載の画像形成装置。
【発明の詳細な説明】
【技術分野】
【０００１】
本発明は、画像形成装置に関し、例えば、電子写真方式を用いて記録媒体に画像を形成する画像形成装置に適用し得るものである。
【背景技術】
【０００２】
例えば、電子写真方式を採用した画像形成装置は、感光ドラム、帯電手段、露光手段、現像手段等を有する画像形成ユニットを備える。例えば、中間転写方式を採用したカラー画像形成装置では、中間転写ベルトの回動方向に沿って、各色の現像剤を用いた複数の画像形成ユニットが順番に並べられている。各画像形成ユニットは、順次、中間転写ベルト上にトナー画像を１次転写し、中間転写ベルト上に１次転写されたトナー画像が２次転写ローラによって記録媒体に２次転写される。そして、そのトナー像転写後の記録媒体は定着装置に搬送され、トナー像が記録媒体に定着し、画像が記録媒体に形成される。
【０００３】
このような画像形成装置では、記録媒体として、普通紙の他に、例えばオーバヘッドプロジェクタ（ＯＨＰ）等に使用されるフィルムシート（例えば、ＯＨＰフィルムと呼ぶ。）が使用される。
【先行技術文献】
【特許文献】
【０００４】
【特許文献１】特開２００８−７６４６９号公報
【発明の概要】
【発明が解決しようとする課題】
【０００５】
しかしながら、前述した画像形成装置は、２次転写後かつ定着前で、記録媒体が搬送経路上の除電部材等に近づくことで、記録媒体と除電部材等との間で放電が生じ得る。そのため、記録媒体上で放電した部分の電荷が局所的に高くなり、記録媒体上で電界が形成され、その電界によって定着前のトナーが移動してしまい、画像不良が生じ得る。以下、この画像不良を「放電模様」と呼ぶ。
【０００６】
前述したＯＨＰフィルム等のように、抵抗値が高く、表面が過剰帯電しやすい記録媒体を用いる場合に、放電模様は発生しやすい。また、複数の画像形成ユニットのうち、中間転写ベルトの回動方向に対して最下流に配置された画像形成ユニットは、中間転写ベルト上のトナー画像が通過しても、トナー帯電量を上昇させることができないため、放電模様が発生しやすい。
【０００７】
すなわち、画像形成装置では、ＯＨＰフィルムのような抵抗値の高い記録媒体を使用すると、中間転写ベルトの回動方向に対して最下流の画像形成ユニットの印刷結果に放電模様が発生するという問題がある。
【０００８】
そのため、２次転写後かつ定着前の記録媒体の表面において放電が発生してもトナーの移動が発生しにくくし、放電模様を抑えることができる画像形成装置が求められている。
【課題を解決するための手段】
【０００９】
かかる課題を解決するために、本発明は、複数種類の現像剤を用いた複数の現像剤像を形成する画像形成装置において、（１）第１現像剤像を担持する第１像担持体と、（２）第２現像剤像を担持する第２像担持体と、（３）第１像担持体及び第２像担持体と対向して配置する中間転写体と、（４）第１像担持体から中間転写体に前記第１現像剤像を転写させる第１転写手段と、（５）中間転写体上に転写された第１現像剤像上に、第２像担持体から第２現像剤像を転写させる第２転写手段と、（６）中間転写体上に転写された第１現像剤像と中間転写体上に転写された第２現像剤像とを記録媒体に転写させる第３転写手段と、（７）中間転写体と対向する記録媒体の種類に応じて、第１転写手段及び第２転写手段に印加する電圧値を制御する制御手段とを備えることを特徴とする画像形成装置である。
【発明の効果】
【００１０】
本発明によれば、中間転写ベルト上のトナー帯電量が高くなり、さらに記録媒体上に２次転写されるトナー帯電量も高くなるため、記録媒体上へのトナーの付着力が強くなり、２次転写後かつ定着前の記録媒体の表面において放電が発生してもトナーの移動が発生しにくくなり、放電模様を抑えることができる。
【図面の簡単な説明】
【００１１】
【図１】第１の実施形態に係る画像形成装置の内部構成を示す内部構成図である。
【図２】第１の実施形態に係る画像形成装置の制御系の構成と、構成要素の接続関係を示すブロック図である。
【図３】第１の実施形態に係る転写電圧設定テーブルの構成を説明する説明図である。
【図４】第１の実施形態に係る画像形成ユニットに対応する１次転写ローラへの１次転写電圧値を変化させたときのＯＨＰフィルムシートの表面に発生する放電模様の関係を示す関係図である。
【図５】第１の実施形態に係る１次転写ローラに印加する１次転写電圧値と、１次転写後の中間転写ベルト上でのトナーの平均帯電量との関係を示す図である。
【図６】第１の実施形態に係る画像形成装置における動作を示すフローチャートである。
【図７】第２の実施形態に係る画像形成装置の内部構成を示す内部構成図である。
【図８】第２の実施形態に係る画像形成装置の制御系の構成と、構成要素の接続関係を示すブロック図である。
【図９】第２の実施形態に係る画像形成装置の転写電圧設定テーブルの構成を説明する説明図である。
【図１０】第２の実施形態に係る画像形成装置における動作を示すフローチャートである。
【発明を実施するための形態】
【００１２】
（Ａ）第１の実施形態
以下では、本発明に係る画像形成装置の第１の実施形態を、図面を参照しながら詳細に説明する。
【００１３】
第１の実施形態では、中間転写方式を採用した電子写真方式の画像形成装置に本発明を適用する場合を例示する。
【００１４】
（Ａ−１）第１の実施形態の構成
図１は、第１の実施形態に係る画像形成装置１の内部構成を示す内部構成図である。
【００１５】
図１において、第１の実施形態に係る画像形成装置１は、４色の現像剤（以下、トナーと呼ぶ。）を用いた画像形成ユニット２Ｙ、２Ｍ、２Ｃ、２Ｋと、記録媒体収容カセット１７、ホッピングローラ１８、レジストラローラ１９、ピンチローラ２０、レジストセンサ２１、１次転写ローラ１１Ｙ、１１Ｍ、１１Ｃ、１１Ｋ、中間転写ベルト１２、駆動ローラ１３、従動ローラ１４、２次転写バックアップローラ１５、２次転写ローラ２２、定着器２３、搬送ガイド２７、スタッカ２８、クリーニングブレード２９、クリーニングブレード対向ローラ３０、廃トナータンク３１を有する。
【００１６】
画像形成装置１は、イエロー（Ｙ）、マゼンタ（Ｍ）、シアン（Ｃ）、ブラック（Ｋ）の４色のトナーを用いて記録媒体１６に画像形成を行なうものである。ここで、記録媒体１６は、例えば、普通紙、厚紙、樹脂媒体等とすることができる。この樹脂媒体は、例えば、ＯＨＰ等に使用されるフィルムシート、例えばＰＥＴ（ポリエチレンテレフタレート）樹脂を原材料とするフィルムシート、透明媒体、プラスチック板等とすることができる。なお、第１の実施形態では、記録媒体１６がＯＨＰフィルムシートである場合を例示する。
【００１７】
ここで、特許請求の範囲に記載の「第１記録媒体」は、普通紙等を含むものである。また、「第２記録媒体」は、厚紙、前記樹脂媒体等を含む概念である。第２記録媒体の厚さ（第２の厚さ）は、第１記録媒体の厚さ（第１の厚さ）より厚いものである。
【００１８】
画像形成装置１は、イエロー（Ｙ）、マゼンタ（Ｍ）、シアン（Ｃ）、ブラック（Ｋ）に対応した４個の独立した画像形成ユニット２Ｙ、２Ｍ、２Ｃ、２Ｋを有する。画像形成ユニット２Ｙ、２Ｍ、２Ｃ、２Ｋは、中間転写体としての中間転写ベルト１２の搬送方向Ａに沿って、画像形成ユニット２Ｙ、２Ｍ、２Ｃ、２Ｋの順で配置されている。
【００１９】
なお、画像形成ユニット２Ｙ、２Ｍ、２Ｃ、２Ｋの配列順は特に限定されるものではない。また、第１の実施形態では、画像形成装置１が４個の画像形成ユニットを有する場合を例示する。しかし、画像形成ユニットの数は特に限定されるものではなく、４色の画像形成ユニット２Ｙ、２Ｍ、２Ｃ、２Ｋに加えて、例えば、透明トナーや白色トナーを用いる画像形成ユニットを備えるようにしても良い。
【００２０】
画像形成ユニット２Ｙ、２Ｍ、２Ｃ、２Ｋはそれぞれ、同一又は対応する構成を備える。ここでは、４個の画像形成ユニットを代表して画像形成ユニット２Ｋの構成を例にして、画像形成ユニットの構成を説明する。
【００２１】
画像形成ユニット２Ｋは、像担持体としての感光ドラム３Ｋ、感光ドラム３Ｋの表面を一様にマイナス帯電させる帯電ローラ４Ｋ、感光ドラム３Ｋの表面を露光して静電潜像を形成するＬＥＤヘッド５Ｋ、感光ドラム３Ｋの表面の静電潜像をトナーで現像する現像ローラ６Ｋ、現像ローラ６Ｋの表面にトナーを供給および現像ローラ６Ｋとの摩擦による帯電を行なう供給ローラ７Ｋ、現像ローラ６Ｋの表面に供給されたトナーを均一な薄層にする現像ブレード８Ｋ、供給ローラ７Ｋの表面にトナーを供給するトナーカートリッジ９Ｋ、感光ドラム３Ｋの表面の残留トナーを清掃するクリーニングブレード１０Ｋを有する。
【００２２】
なお、画像形成ユニット２Ｙ、２Ｍ、２Ｃも、画像形成ユニット２Ｋと同様の構成である。しかし、トナーカートリッジ９Ｙ、９Ｍ、９Ｃはそれぞれイエロー（Ｙ）、マゼンタ（Ｍ）、シアン（Ｃ）のトナーを収容している。
【００２３】
ここで、特許請求の範囲に記載の「第２像担持体」は、中間転写体としての中間転写ベルト１２の搬送方向に対して、下流側にある画像形成ユニットの感光ドラムを意図する。特に、「第２像担持体」は、中間転写体の搬送方向に対して、最下流の画像形成ユニットの感光ドラムが望ましい。また、「第１像担持体」は、前記第２像担持体よりも上流側にある画像形成ユニットの感光ドラムを意図する。
【００２４】
また、特許請求の範囲に記載の「第１転写手段」は、前記第１像担持体から中間転写体に第１現像剤像を転写するものである。「第２転写手段」は、中間転写体上の前記第１現像剤像の上に第２現像剤像を前記第２像担持体から転写するものである。
【００２５】
さらに、特許請求の範囲に記載の「第３転写手段」は、中間転写体としての中間転写ベルト１２、駆動ローラ１３、従動ローラ１４、２次転写バックアップローラ１５、２次転写ローラ２２を含むものである。
【００２６】
中間転写ベルト１２を挟んで感光ドラム３Ｙ、３Ｍ、３Ｃ、３Ｋと対向する位置に、１次転写部材としての１次転写ローラ１１Ｙ、１１Ｍ、１１Ｃ、１１Ｋが配置されている。１次転写ローラ１１Ｙ、１１Ｍ、１１Ｃ、１１Ｋはそれぞれ、例えばスプリング等の付勢手段によって中間転写ベルト１２を挟んで感光ドラム３Ｙ、３Ｍ、３Ｃ、３Ｋに押し当てられており、１次転写ニップ部を形成している。１次転写ローラ１１Ｙ、１１Ｍ、１１Ｃ、１１Ｋに１次転写電圧が印加されることにより、それぞれの１次転写ニップ部で、感光ドラム３Ｙ、３Ｍ、３Ｃ、３Ｋのそれぞれの表面に形成されたトナー画像が、イエロー（Ｙ）、マゼンタ（Ｍ）、シアン（Ｃ）、ブラック（Ｋ）の順に中間転写ベルト１２上に転写される。
【００２７】
中間転写ベルト１２は、駆動ローラ１３、従動ローラ１４及び２次転写バックアップローラ１５によって所定のテンションで張架されている。中間転写ベルト１２は、駆動ローラ１３の回転により、矢印Ａの方向に回動する。
【００２８】
記録媒体収容カセット１７は記録媒体１６を収容するものである。ホッピングローラ１８は、記録媒体収容カセット１７に収容されている記録媒体１６を１枚ずつ取り出すものである。ホッピングローラ１８によって取り出された記録媒体１６はレジストローラ１９及びピンチローラ２０のニップ部に到達する。レジストセンサ２１は、レジストローラ１９及びピンチローラ２０のニップ部に到達した記録媒体１６を検知する。レジストローラ１９は、中間転写ベルト１２上に転写されたトナー画像が２次転写ローラ２２及び２次転写バックアップローラ１５の２次転写ニップ部に到達するタイミングに合わせて、記録媒体１６を前記２次転写部に送り出す。
【００２９】
２次転写ローラ２２は、中間転写ベルト１２を挟んで、２次転写バックアップローラ１５に対向して配置されている。２次転写ローラ２２は、例えばスプリング等の付勢手段によって中間転写ベルト１２を挟んで２次転写バックアップローラ１５に押し当てられており、２次転写ニップ部を形成している。２次転写ニップ部では、２次転写ローラ２２に２次転写電圧が印加されることで、中間転写ベルト１２上のトナー画像が記録媒体１６に転写される。
【００３０】
２次転写ローラ２２を通過した記録媒体１６は、中間転写ベルト１２より分離されて定着器２３へ搬送される。定着器２３は、ヒートローラ２４を内部から加熱するヒータ２５とヒートローラ２４を加圧する加圧ローラ２６等を有する。この定着器２３は、トナーを加熱、溶融し、記録媒体１６上にトナー画像を定着する。これにより、フルカラー画像が形成される。画像が形成された記録媒体１６は、搬送ガイド２７に導かれて、画像形成装置１上部のスタッカ２８へと排出される。
【００３１】
中間転写ベルト１２の２次転写ニップ部の下流側（ここでは、２次転写ニップ部と従動ローラ１４との間）には、中間転写ベルト１２上に残留するトナーを除去するクリーニングブレード２９が配置されている。また、クリーニングブレード２９に対向する位置に、クリーニングブレード対向ローラ３０が配設されている。クリーニングブレード２９は、例えば可撓性のゴム材又はプラスチック材等からなるものであり、中間転写ベルト１２の表面上に残留する２次転写残トナーを廃トナータンク３１に掻き落とす。
【００３２】
次に、第１の実施形態に係る画像形成装置１の制御系の構成を説明する。図２は、第１の実施形態に係る画像形成装置１の制御系の構成と、構成要素の接続関係を示すブロック図である。
【００３３】
図２において、画像形成装置１は、機構制御部４１、コマンド／画像処理部４２、ＬＥＤヘッド制御部４３、メモリ４４、モータ制御部４６、高圧制御部４７、レジストセンサ２１、ヒータ２５、ベルトモータ４８、ホッピングモータ４９、レジストモータ５０、ドラムモータ５１Ｙ、５１Ｍ、５１Ｃ、５１Ｋ、ヒータモータ５７、帯電電圧発生部５２、供給電圧発生部５３、現像電圧発生部５４、１次転写電圧発生部５５、２次転写電圧発生部５６を有する。
【００３４】
機構制御部４１は、画像形成装置１が備える各構成要素を制御するものである。機構制御部４１は、コマンド／画像処理部４２、ＬＥＤヘッド制御部４３、メモリ４４、モータ制御部４６、高圧制御部４７、レジストセンサ２１、ヒータ２５と接続している。
【００３５】
機構制御部４１は、高圧制御部４７に対して１次転写電圧値及び２次転写電圧値を指令する際、記録媒体１６の種類に応じて、メモリ４４のＲＯＭ４５に格納されている転写電圧設定テーブル４５１に設定されている１次転写電圧値及び２次転写電圧値を、高圧制御部４７に指令する。
【００３６】
コマンド／画像処理部４２は、例えば図示しないホストコンピュータからのコマンド及び印刷データを処理する部分であり、機構制御部４１に処理したデータを送信するものである。このとき、コマンド／画像処理部４２は、画像データとともに、記録媒体１６の設定情報（例えば、記録媒体１６が普通紙であるかＯＨＰフィルムであるかの情報）も同時に機構制御部４１に送信する。
【００３７】
ＬＥＤヘッド制御部４３は、コマンド／画像処理部４２から機構制御部４１に与えられた画像データに基づき、ＬＥＤヘッド５Ｙ、５Ｍ、５Ｃ、５Ｋの発光制御を行なうものである。
【００３８】
メモリ４４は、機構制御部４１による処理に必要なデータを記憶するものである。メモリ４４は、各設定データを格納する不揮発性メモリとしてのＲＯＭ４５を有する。ＲＯＭ４５は、転写電圧設定テーブル４５１等を記憶するものである。
【００３９】
転写電圧設定テーブル４５１は、指定された記録媒体１６の種類に応じて、１次転写ローラ１１Ｋ、１１Ｙ、１１Ｍ、１１Ｃに印加する電圧値及び２次転写ローラ２２に印加する電圧値が設定されているものである。つまり、機構制御部４１は、転写電圧設定テーブル４５１を参照して、コマンド／画像処理部４２を通じて指定された記録媒体１６の種類に応じて、１次転写に係る電圧値及び２次転写に係る電圧値を制御することができる。なお、転写電圧設定テーブル４５１の詳細な説明については後述する。
【００４０】
モータ制御部４６は、コマンド／画像処理部４２からの指令に従い、ベルトモータ４８、ホッピングモータ４９、レジストモータ５０、ドラムモータ５１Ｙ、５１Ｍ、５１Ｃ、５１Ｋ、ヒータモータ５７の駆動を制御し、駆動ローラ１３、ホッピングローラ１８、レジストローラ１９、画像形成ユニット２Ｙ、２Ｍ、２Ｃ、２Ｋ、及びヒートローラ２４を動作させる。
【００４１】
高圧制御部４７は、機構制御部４１からの指示に従い、帯電電圧発生部５２、供給電圧発生部５３、現像電圧発生部５４、１次転写電圧発生部５５、２次転写電圧発生部５６の制御を行うものである。
【００４２】
帯電電圧発生部５２は、高圧制御部４７の指示に従い、帯電ローラ４Ｙ、４Ｍ、４Ｃ、４Ｋへの帯電電圧の生成と停止を行うものである。供給電圧発生部５３は、高圧制御部４７の指示に従い、供給ローラ７Ｙ、７Ｍ、７Ｃ、７Ｋへの供給電圧の生成と停止を行うものである。現像電圧発生部５４は、高圧制御部４７の指示に従い、現像ローラ６Ｙ、６Ｍ、６Ｃ、６Ｋへの現像電圧の生成と停止を行うものである。
【００４３】
１次転写電圧発生部５５は、高圧制御部４７の指示に従い、１次転写ローラ１１Ｙ、１１Ｍ、１１Ｃ、１１Ｋへの１次転写電圧の生成と停止を行うものである。１次転写電圧発生部５５は、画像形成装置１の動作や、指定された記録媒体１６の種類等に応じて、１次転写ローラ１１Ｙ、１１Ｍ、１１Ｃ、１１Ｋに印加する電圧値１次転写電圧値を変化させることができる。
【００４４】
２次転写電圧発生部５６は、高圧制御部４７の指示に従い、２次転写ローラ２２への２次転写電圧を生成、停止することができる。
【００４５】
図３は、第１の実施形態に係る転写電圧設定テーブル４５１の構成を説明する説明図である。
【００４６】
図３において、転写電圧設定テーブル４５１は、記録媒体１６の種類に応じて、各１次転写ローラ１１Ｙ、１１Ｍ、１１Ｃ、１１Ｋに印加する電圧値及び２次転写ローラ２２に印加する電圧値が定義されている。図３において、「普通紙モード」とは、指定された記録媒体１６が普通紙であるときの動作モードである。「ＯＨＰモード」とは、指定された記録媒体１６がＯＨＰフィルムシートであるときの動作モードである。なお、ここでは、２種類の動作モードを例示しているが、動作モードの数は３個以上であっても良い。
【００４７】
例えば、図３において、「普通紙モード」のときには、イエロートナーの１次転写ローラ１１Ｙに「１６００Ｖ」、マゼンダトナーの１次転写ローラ１１Ｍに「１６００Ｖ」、シアントナーの１次転写ローラ１１Ｃに「１６００Ｖ」、ブラックトナーの１次転写ローラ１１Ｋに「１６００Ｖ」の電圧値を印加することを示している。また、２次転写ローラ２２に「１８００Ｖ」の電圧値を印加することを示している。
【００４８】
また例えば、「ＯＨＰモード」のときには、イエロートナーの１次転写ローラ１１Ｙに「１６００Ｖ」、マゼンダトナーの１次転写ローラ１１Ｍに「１６００Ｖ」、シアントナーの１次転写ローラ１１Ｃに「１６００Ｖ」、ブラックトナーの１次転写ローラ１１Ｋに「３２００Ｖ」の電圧値を印加することを示している。また、２次転写ローラ２２に「３０００Ｖ」の電圧値を印加することを示している。
【００４９】
このように、記録媒体１６が普通紙である場合、１次転写ローラ１１Ｙ、１１Ｍ、１１Ｃ、１１Ｋに印加する電圧値は、すべてのトナーの色について「１６００Ｖ」に設定されている。
【００５０】
これに対して、記録媒体１６がＯＨＰフィルムシートである場合、１次転写ローラ１１Ｙ、１１Ｍ、１１Ｃに印加する電圧値は、普通紙の場合と同様に「１６００Ｖ」に設定されているが、１次転写ローラ１１Ｋに印加する電圧のみ「３２００Ｖ」に設定している。また、２次転写ローラ２２に「３０００Ｖ」の電圧値を印加することを示している。
【００５１】
これは、中間転写ベルト１２の搬送方向に対して最下流に配置されている１次転写ローラ１６Ｋに印加する１次転写電圧値を高くすることで、中間転写ベルト１２上に高帯電のブラックトナー画像を１次転写することができる。これにより、２次転写の際に、記録媒体１６としてのＯＨＰフィルムシート上に２次転写されるトナー画像の帯電量も高くすることができ、ＯＨＰフィルムシートへのブラックトナーの付着力が高くなる。そのため、２次転写後かつ定着前に、記録媒体１６の表面において放電が発生しても、ブラックトナーが移動しにくくなり、放電模様の発生を抑えることができる。
【００５２】
図４は、第１の実施形態に係る画像形成ユニット２Ｋに対応する１次転写ローラ１１Ｋへの１次転写電圧値を変化させたときのＯＨＰフィルムシートの表面に発生する放電模様の関係を示す関係図である。
【００５３】
図４の実験では、１次転写電圧値を変化させて、Ａ４サイズのＯＨＰフィルムシートにブラックトナーのハーフトーンパターンを印刷したときの放電模様の発生状態を観察した。
【００５４】
このとき、２次転写電圧は一定とした。この実験の放電模様の指標として、放電模様が発生している場合は「×」、発生していない場合は「○」とレベルを判定した。図４の実験結果を見ると、１次転写ローラ１１Ｋに印加する１次転写電圧値を３２００Ｖ以上にすることで、放電模様が発生しないことがわかる。
【００５５】
図５は、第１の実施形態に係る１次転写ローラ１１Ｋに印加する１次転写電圧値と、１次転写後の中間転写ベルト１２上でのトナーの平均帯電量との関係を示す図である。
【００５６】
図５の測定は、帯電量測定装置（トレック・ジャパン社吸引式小型帯電量測定装置ＭＯＤＥＬ  ２１０ＨＳ−３）により行なった。図６の結果より、１次転写電圧値が「１２００Ｖ」、「２０００Ｖ」のときの中間転写ベルト１２上のトナー平均帯電量は、およそ−３２μＣ／ｇ程度である。また、１次転写電圧値を「３２００Ｖ」としたときの中間転写ベルト１２上のトナー平均帯電量は、約−３６．０μＣ／ｇ程度である。さらに、１次転写電圧値を「４０００Ｖ」としたときの中間転写ベルト１２上のトナー平均帯電量は、約−４２μＣ／ｇ程度である。図５の結果より、１次転写電圧値が高くなるほど、中間転写ベルト１２上のトナーの平均帯電量が高くなっていることがわかる。また、図４及び図５から、１次転写電圧値を「３２００Ｖ」以上としたときに、放電模様が発生しないときのトナー付着量は−３２μＣ／ｇ以上であることが分かる。
【００５７】
以上の実験結果から、ＯＨＰフィルムに画像形成する際は、１次転写電圧値を３２００Ｖとすることで、トナー帯電が高くなる。記録媒体１６へのトナーの付着力が強くなるため、放電によるトナーの移動が起きにくく、放電模様のない印刷結果が得られる。一方で、普通紙に印刷する場合は、放電模様は発生しないため、１次転写電圧は１６００Ｖとすることで良好な印刷結果が得られる。
【００５８】
（Ａ−２）第１の実施形態の動作
次に、第１の実施形態に係る画像形成装置１の動作を、図面を参照しながら詳細に説明する。
【００５９】
図６は、第１の実施形態に係る画像形成装置１における動作を示すフローチャートである。
【００６０】
まず、図示しないホストコンピュータから印刷データが画像形成装置１に送信されると、コマンド／画像処理部４２が印刷データを受信する（Ｓ１０）。コマンド／画像処理部４２は、受信した印刷データを展開処理して、展開した画像データを機構制御部４１に送信する。このとき、機構制御部４１は、印刷に用いられる印刷媒体１６に関する設定情報も同時に取得する（Ｓｌｌ）。
【００６１】
そして、機構制御部４１は、取得した設定情報から、画像形成に用いられる印刷媒体１６の種類がＯＨＰフィルムシートであるか否かを判断する（Ｓ１２）。ここで、画像形成に用いられる印刷媒体１６がＯＨＰフィルムシートである場合、機構制御部４１は、ステップＳ１３に処理を進める。一方、画像形成に用いられる印刷媒体１６がＯＨＰフィルムシートでない場合、機構制御部４１はステップＳ１９に処理を進める。
【００６２】
画像形成に用いられる印刷媒体１６がＯＨＰフィルムシートでない（すなわち普通紙である）場合について説明する。
【００６３】
まず、機構制御部４１は、ＲＯＭ４５から普通紙モードの転写設定テーブル４５１を読み込む（Ｓ１９）。次に、機構制御部４１は、各構成要素を駆動させて印刷動作を開始する（Ｓ２０）。印刷動作が開始すると、まず、機構制御部４１は、ベルトモータ４８及びドラムモータ５１を制御し、駆動ローラ１３及び画像形成ユニット２を駆動させて中間転写ベルト１２を、図１の矢印Ａの方向に搬送させる。次に、機構制御部４１は、高圧制御部４７を制御し、帯電電圧発生部５２、供給電圧発生部５３、現像電圧発生部５４をオンして、画像形成ユニット２Ｙ、２Ｍ、２Ｃ、２Ｋに所定の電圧を供給する。
【００６４】
ここで、画像形成ユニット２Ｙ、２Ｍ、２Ｃ、２Ｋで行なわれるトナー画像形成動作を説明する。機構制御部４１は、帯電ローラ４に「−１０００Ｖ」の電圧を印加し、感光ドラム３の表面を「−６００Ｖ」に帯電させる。感光ドラム３を帯電させた後、機構制御部４１は、印刷用ビットマップデータに基づいてＬＥＤヘッド５を発光させ、感光ドラム３を露光して「−５０Ｖ」に除電し、感光ドラム３の表面に静電潜像を形成する。感光ドラム３に形成された静電潜像は、感光ドラム３の回転に伴い現像ローラ６の接触部に到達する。また、現像ローラ６には「−２００Ｖ」の電圧が、供給ローラ７には「−２５０Ｖ」の電圧が印加される。これにより、トナーカートリッジ９から供給されたトナーは、現像ローラ６と供給ローラ７によりマイナス極性に摩擦帯電する。マイナス極性に摩擦帯電されたトナーは、現像ローラ６と供給ローラ７の電位差によって現像ローラ６上に付着する。付着したトナーは、現像ブレード８によって均一な厚さにならされてトナー層を形成する。現像ローラ６上に形成されたトナー層は、現像ローラ６の回転によって感光ドラム３との接触部に運ばれる。現像ローラ６と感光ドラム３の間において、感光ドラム３上の表面が「−５０Ｖ」に除電された露光部では感光ドラム３から現像ローラ６方向の電界が形成される。従って、感光ドラム３の表面には、現像ローラ６上のマイナス極性に帯電したトナーが露光部に付着し、トナー画像が形成される。
【００６５】
次に、感光ドラム３上のトナー画像が１次転写ニップ部に到達するタイミングに合わせて、１次転写電圧値を印加する（Ｓ２１）。このとき、機構制御部４１は、読み込んだ普通紙モードの転写電圧設定テーブル４５１に従った１次転写電圧値を印加するよう高圧制御部４７に指示し、１次転写電圧発生部５５が１次転写電圧値を制御する。すなわち、１次転写ローラ１１Ｙ、１１Ｍ、１１Ｃ、１１Ｋには、「１６００Ｖ」電圧が印加され、中間転写ベルト１２にトナー画像が転写される（Ｓ２２）。
【００６６】
次に、中間転写ベルト１２上に転写されたトナー画像は、２次転写ニップ部に搬送されて、所定の２次転写電圧を印加することで記録媒体１６に転写される（Ｓ２３）。このとき、機構制御部４１は、読み込んだ普通紙モードの転写電圧設定テーブル４５１に従った２次転写電圧値を印加するよう高圧制御部４７に指示し、２次転写電圧発生部５６が２次転写電圧値を制御する。すなわち、２次転写ローラ２２には「１８００Ｖ」電圧が印加される。２次転写ニップ部を通過した記録媒体１６は、定着器２３に送られる。記録媒体１６が定着器２３に到達すると、定着可能温度に制御されたヒートローラ２４と加圧ローラ２６で圧接しながら搬送されて、トナー画像が記録媒体１６上に定着する（Ｓ１８）。
【００６７】
一方、Ｓ１２で、画像形成に用いられる印刷媒体１６がＯＨＰフィルムである場合について説明する。
【００６８】
機構制御部４１は、ＲＯＭ４５から、ＯＨＰモードの転写電圧設定テーブル４５１を読み込む（Ｓ１３）。次に、機構制御部４１は、受信した情報から各構成要素を駆動させて、印刷動作を開始する（Ｓ１４）。各構成要素の動作と、画像形成ユニット２における画像形成動作とは普通紙の場合と同様のため、ここでの詳細な動作説明は省略する。
【００６９】
次に、感光ドラム３上のトナー画像が１次転写ニップ部に到達するタイミングに合わせて、１次転写電圧値を印加する（Ｓ１５）。
【００７０】
このとき、機構制御部４１は、読み込んだＯＨＰモードの転写電圧設定テーブル４５１に従った１次転写電圧値を印加するよう高圧制御部４７に指示し、１次転写電圧発生部５５が各１次転写ローラに対して１次転写電圧値を制御する。
【００７１】
すなわち、１次転写ローラ１１Ｙ、１１Ｍ、１１Ｃには、「１６００Ｖ」電圧が印加され、中間転写ベルト１２にトナー画像が転写される。また、最下流に配置された１次転写ローラ１１Ｋには「３２００Ｖ」の電圧が印加され、中間転写ベルト１２にトナー画像が転写される（Ｓ１６）。
【００７２】
このようにＯＨＰモードの１次転写電圧で中間転写ベルト１２上に１次転写されたブラック（Ｋ）のトナー画像は、普通紙モードで１次転写されたブラック（Ｋ）のトナー画像よりもトナーの帯電が高いため、前述したように、記録媒体１６に２次転写された後に放電が起きてもトナーが移動しにくく、印刷不良が発生しなくなる。
【００７３】
次に、中間転写ベルト１２上に転写されたトナー画像は、２次転写ニップ部に搬送されて、所定の２次転写電圧値を印加することで記録媒体１６に転写される（Ｓ１７）。このとき、機構制御部４１は、読み込んだＯＨＰモードの転写電圧設定テーブル４５１に従った２次転写電圧値を印加するよう高圧制御部４７に指示し、２次転写電圧発生部５６が２次転写電圧値を制御する。すなわち、２次転写ローラ２２には「３０００Ｖ」電圧が印加される。２次転写ニップ部を通過した記録媒体１６は、定着器２３に送られる。２次転写ニップ部を通過した記録媒体は、定着器２３で定着されて、スタッカ２８に排出されて印刷動作が完了する（Ｓ１８）。
【００７４】
（Ａ−３）第１の実施形態の効果
以上のように、第１の実施形態によれば、記録媒体がＯＨＰフィルムシートを使用するとき、印刷に使用される複数の画像形成ユニットのうち搬送方向に対して最下流の画像形成ユニット（図１の場合、画像形成ユニット２Ｋ）の１次転写電圧値を、記録媒体に普通紙を使用する場合より高くすることで、中間転写ベルト上に１次転写されたトナーの帯電量を高くする効果が得られる。
【００７５】
そのため、記録媒体に転写されたトナーの帯電量も高くなり、放電が発生してもトナーの移動が起こりにくくなるため、記録媒体にＯＨＰフィルムを使用しても放電模様の発生しない印刷結果が得られる。
【００７６】
（Ｂ）第２の実施形態
次に、本発明に係る画像形成装置の第２の実施形態を、図面を参照しながら詳細に説明する。
【００７７】
第２の実施形態も、第１の実施形態と同様に、中間転写方式を採用した電子写真方式の画像形成装置に本発明を適用する場合を例示する。
【００７８】
（Ｂ−１）第２の実施形態の構成
図７は、第２の実施形態に係る画像形成装置１Ａの内部構成を示す内部構成図である。なお、第１の実施形態に係る図１の画像形成装置の構成要素と同一又は対応する構成要素には同一の符号を付している。
【００７９】
図７において、第２の実施形態に係る画像形成装置１Ａは、第１の実施形態と同様に、４色の現像剤（以下、トナーと呼ぶ。）を用いた画像形成ユニット２Ｙ、２Ｍ、２Ｃ、２Ｋと、記録媒体収容カセット１７、ホッピングローラ１８、レジストラローラ１９、ピンチローラ２０、レジストセンサ２１、１次転写ローラ１１Ｙ、１１Ｍ、１１Ｃ、１１Ｋ、中間転写ベルト１２、駆動ローラ１３、従動ローラ１４、２次転写バックアップローラ１５、２次転写ローラ２２、定着器２３、搬送ガイド２７、スタッカ２８、クリーニングブレード２９、クリーニングブレード対向ローラ３０、廃トナータンク３１に加えて、環境センサ３２を有する。
【００８０】
環境センサ３２は、画像形成装置１Ａが設置されている環境情報を検知するものである。環境センサ３２は、例えば、温度・湿度センサ、又は、単独の温度センサ、単独の湿度センサ等を用いることができる。第２の実施形態では、環境センサ３２として温度・湿度センサを用いる場合を例示する。環境センサ３２は、画像形成装置１Ａが置かれている環境情報（例えば、温度データ、湿度データ）を検知することができれば、配置位置は特に限定されるものではない。
【００８１】
ここで、記録媒体１６としてＯＨＰフィルムで発生する画像不良である放電模様は、低湿環境及び低温環境、又は、低湿環境あるいは低温環境において発生しやすい。そのため、第２の実施形態では、印刷動作を行なうときの温度及び湿度を測定するために、環境センサ３２は設置されている。
【００８２】
図８は、第２の実施形態に係る画像形成装置１Ａの制御系の構成と、構成要素の接続関係を示すブロック図である。なお、第１の実施形態に係る図２の画像形成装置の構成要素と同一又は対応する構成要素には同一の符号を付している。
【００８３】
図８において、画像形成装置１Ａは、機構制御部４１Ａ、コマンド／画像処理部４２、ＬＥＤヘッド制御部４３、メモリ４４、モータ制御部４６、高圧制御部４７、レジストセンサ２１、ヒータ２５、ベルトモータ４８、ホッピングモータ４９、レジストモータ５０、ドラムモータ５１Ｙ、５１Ｍ、５１Ｃ、５１Ｋ、ヒータモータ５７、帯電電圧発生部５２、供給電圧発生部５３、現像電圧発生部５４、１次転写電圧発生部５５、２次転写電圧発生部５６に加えて、環境センサ３２を有する。
【００８４】
環境センサ３２は、検知した環境情報を機構制御部４１Ａに通知するものである。環境センサ３２は、例えば、常時、環境情報を検知して、環境情報を機構制御部４１Ａに通知するものであっても良いし、また例えば、周期的、間欠的に環境情報を検知して、環境情報を機構制御部４１Ａに通知するものであっても良い。
【００８５】
機構制御部４１Ａは、第１の実施形態と同様に、高圧制御部４７に対して１次転写電圧値及び２次転写電圧値を指令する際、記録媒体１６の種類に応じて、メモリ４４のＲＯＭ４５に格納されている転写電圧設定テーブル４５２に設定されている１次転写電圧値及び２次転写電圧値を、高圧制御部４７に指令する。
【００８６】
このとき、機構制御部４１Ａは、環境センサ３２から取得した現在の環境情報（湿度データ、温度データ）に対応する１次転写電圧値及び２次転写電圧値を転写電圧設定テーブル４５２から読み取って、高圧制御部４７に指令を通知する。
【００８７】
メモリ４４は、第１の実施形態と同様に、ＲＯＭ４５を有する。ＲＯＭ４５は、１次転写電圧値及び２次転写電圧値が定義された転写電圧設定テーブル４５２を格納する。
【００８８】
図９は、第２の実施形態に係る画像形成装置１Ａの転写電圧設定テーブル４５２の構成を説明する説明図である。
【００８９】
図９に示すように、転写電圧設定テーブル４５２は、記録媒体１６の種類毎、環境情報毎に、各１次転写ローラ１１Ｙ、１１Ｍ、１１Ｃ、１１Ｋへの１次転写電圧値及び２次転写電圧値が定義されているものとする。つまり、転写電圧設定テーブル４５２は、普通紙モード又はＯＨＰモードに応じた１次転写電圧値及び２次転写電圧値を定義している他に、環境センサ３２の読み取り値に応じた１次転写電圧値及び２次転写電圧値を定義している。
【００９０】
図９の転写電圧設定テーブル４５２は、それぞれの条件に応じて以下のように１次転写電圧値及び２次転写電圧値を定義している。
【００９１】
ここで、「低温環境」とは、温度が所定値未満の環境をいう。低温環境は、任意に設定可能であるが、この実施形態では、温度が１０℃未満のとき低温環境としている。また「低湿環境」とは、湿度が所定値未満の環境をいう。低湿環境は、任意に設定可能であるが、この実施形態では、湿度が２０％未満のとき低湿環境としている。
【００９２】
図９において、記録媒体１６が「普通紙（普通紙モード）」であり、温度が１０℃未満あるいは湿度が２０％未満である場合、１次転写ローラ１１Ｙ、１１Ｍ、１１Ｃ、１１Ｋに印加する電圧値は全て「１６００Ｖ」であり、２次転写ローラ２２に印加する電圧値は「１８００Ｖ」である。このテーブルを転写電圧設定テーブルＴ１と呼ぶ。
【００９３】
記録媒体１６が「普通紙（普通紙モード）」であり、温度が１０℃以上かつ湿度が２０％以上である場合、１次転写ローラ１１Ｙ、１１Ｍ、１１Ｃ、１１Ｋに印加する電圧は全て「１５００Ｖ」であり、２次転写ローラ２２に印加する電圧値は「１４００Ｖ」である。このテーブルを転写電圧設定テーブルＴ２と呼ぶ。
【００９４】
記録媒体１６が「ＯＨＰフィルムシート（ＯＦＰモード）」であり、温度が１０℃未満あるいは湿度が２０％未満である場合、１次転写ローラ１１Ｙ、１１Ｍ、１１Ｃに印加する電圧は「１６００Ｖ」であり、１次転写ローラ１１Ｋに印加する電圧は「３２００Ｖ」であり、２次転写ローラ２２に印加する電圧値は「３０００Ｖ」である。このテーブルを転写電圧設定テーブルＴ３と呼ぶ。
【００９５】
記録媒体１６が「ＯＨＰフィルムシート（ＯＦＰモード）」であり、温度が１０℃以上かつ湿度が２０％以上である場合、１次転写ローラ１１Ｙ、１１Ｍ、１１Ｃ、１１Ｋに印加する電圧は全て「１５００Ｖ」であり、２次転写ローラ２２に印加する電圧値は「２５００Ｖ」である。このテーブルを転写電圧設定テーブルＴ４と呼ぶ。
【００９６】
（Ｂ−２）第２の実施形態の動作
次に、第２の実施形態に係る画像形成装置１Ａにおける動作を、図面を参照しながら詳細に説明する。
【００９７】
図１０は、第２の実施形態に係る画像形成装置１Ａにおける動作を示すフローチャートである。第２の実施形態において、基本的な画像形成装置１Ａの印刷動作は、第１の実施形態と同様である。
【００９８】
まず、図示しないホストコンピュータから印刷データが画像形成装置１Ａに送信されると、コマンド／画像処理部４２が印刷データを受信する（Ｓ３１）。コマンド／画像処理部４２は、印刷データを展開処理して、機構制御部４１Ａに送信する。このとき、機構制御部４１Ａは、印刷に用いられる印刷媒体１６に関する設定情報も取得する（Ｓ３２）。
【００９９】
また、環境センサ３２は、環境情報を検知すると、検知した環境情報を機構制御部４１Ａに通知する。なお、環境センサ３２は、画像形成に使用する記録媒体１６の種類に関わらず、常時又は間欠的に環境情報を検知して機構制御部１Ａに環境情報を通知している。機構制御部４１Ａは、取得した印刷設定情報の内容から、画像形成に用いられる印刷媒体１６がＯＨＰフィルムシートであるか否かを判断する（Ｓ３３）。
【０１００】
ここでは、まず、Ｓ３３において、記録媒体１６がＯＨＰフィルムシートである場合を例示する。Ｓ３３において、機構制御部４１Ａにより記録媒体１６がＯＨＰフィルムシートであると判断されると、機構制御部４１Ａは、Ｓ３４に処理を移行する。
【０１０１】
Ｓ３４において、機構制御部４１Ａは、環境センサ３２から取得した環境情報としての湿度値、温度値に基づいて、温度が１０℃未満あるいは湿度が２０％未満であるか否かを判定する（Ｓ３４）。
【０１０２】
そして、温度が１０℃未満でない、湿度が２０％未満でない場合（すなわち、温度が１０℃以上かつ湿度が２０％以上である場合）、機構制御部４１Ａは、図９の転写電圧設定テーブル４５２の設定のうち、テーブルＴ４をＲＯＭ４５から読み込む（Ｓ３５）。
【０１０３】
そして、機構制御部４１Ａは、各構成要素を駆動させて印刷動作を開始する（Ｓ３６）。印刷動作が開始すると、まず、機構制御部４１Ａは、ベルトモータ４８及びドラムモータ５１を制御し、駆動ローラ１３及び画像形成ユニット２を駆動させて中間転写ベルト１２を、図１の矢印Ａの方向に搬送させる。機構制御部４１Ａは、高圧制御部４７を制御し、帯電電圧発生部５２、供給電圧発生部５３、現像電圧発生部５４をオンして、画像形成ユニット２Ｙ、２Ｍ、２Ｃ、２Ｋに所定の電圧を供給する。次に、感光ドラム３上のトナー画像が１次転写ニップ部に到達するタイミングに合わせて、１次転写電圧値を印加する（Ｓ３７）。このとき、機構制御部４１Ａは、読み込んだＯＨＰモードの転写電圧設定テーブル４５２のテーブルＴ４に従った、１次転写電圧値を印加するよう高圧制御部４７に指示し、１次転写電圧発生部５５が１次転写電圧値を制御する。すなわち、１次転写ローラ１１Ｙ、１１Ｍ、１１Ｃ、１１Ｋには、「１５００Ｖ」電圧が印加され、中間転写ベルト１２にトナー画像が転写される（Ｓ３８）。次に、中間転写ベルト１２上に転写されたトナー画像は、２次転写ニップ部に搬送されて、所定の２次転写電圧を印加することで記録媒体１６に転写される（Ｓ３９）。このとき、機構制御部４１Ａは、読み込んだＯＨＰモードの転写電圧設定テーブル４５２のテーブルＴ４に従った２次転写電圧値を印加するよう高圧制御部４７に指示し、２次転写電圧発生部５６が２次転写電圧値を制御する。すなわち、２次転写ローラ２２には「２５００Ｖ」電圧が印加される。２次転写ニップ部を通過した記録媒体１６は、定着器２３に送られる。記録媒体１６が定着器２３に到達すると、定着可能温度に制御されたヒートローラ２４と加圧ローラ２６で圧接しながら搬送されて、トナー画像が記録媒体１６上に定着して、処理を終了する（Ｓ４０）。
【０１０４】
Ｓ３４において、温度が１０℃未満あるいは湿度が２０％未満である場合、機構制御部４１Ａは、図９の転写電圧設定テーブル４５２の設定のうち、テーブルＴ３をＲＯＭ４５から読み込む（Ｓ４１）。
【０１０５】
機構制御部４１Ａは、受信した情報から各構成要素を駆動させて、印刷動作を開始する（Ｓ４２）。各構成要素の動作と、画像形成ユニット２における画像形成動作とは普通紙の場合と同様のため、ここでの詳細な動作説明は省略する。
【０１０６】
次に、感光ドラム３上のトナー画像が１次転写ニップ部に到達するタイミングに合わせて、１次転写電圧値を印加する（Ｓ４３）。このとき、機構制御部４１Ａは、読み込んだＯＨＰモードの転写電圧設定テーブル４５２のテーブルＴ３に従った１次転写電圧値を印加するよう高圧制御部４７に指示し、１次転写電圧発生部５５が各１次転写ローラに対して１次転写電圧値を制御する。
【０１０７】
すなわち、１次転写ローラ１１Ｙ、１１Ｍ、１１Ｃには、「１６００Ｖ」電圧が印加され、中間転写ベルト１２にトナー画像が転写される。また、最下流に配置された１次転写ローラ１１Ｋには「３２００Ｖ」の電圧が印加され、中間転写ベルト１２にトナー画像が転写される（Ｓ４４）。
【０１０８】
このようにＯＨＰモードの１次転写電圧で中間転写ベルト１２上に１次転写されたブラック（Ｋ）のトナー画像は、普通紙モードで１次転写されたブラック（Ｋ）のトナー画像よりもトナーの帯電が高いため、前述したように、記録媒体１６に２次転写された後に放電が起きてもトナーが移動しにくく、印刷不良が発生しなくなる。
【０１０９】
次に、中間転写ベルト１２上に転写されたトナー画像は、２次転写ニップ部に搬送されて、所定の２次転写電圧値を印加することで記録媒体１６に転写される（Ｓ３９）。このとき、機構制御部４１Ａは、読み込んだＯＨＰモードの転写電圧設定テーブル４５２のテーブルＴ３に従った２次転写電圧値を印加するよう高圧制御部４７に指示し、２次転写電圧発生部５６が２次転写電圧値を制御する。すなわち、２次転写ローラ２２には「３０００Ｖ」電圧が印加される。そして、２次転写ニップ部を通過した記録媒体１６は定着器２３で定着されて、スタッカ２８に排出されて印刷動作が完了する（Ｓ４０）。
【０１１０】
一方、Ｓ３３において、記録媒体１６が普通紙である場合を例示する。Ｓ３３において、機構制御部４１Ａにより記録媒体１６が普通紙であると判断されると、機構制御部４１Ａは、Ｓ４５に処理を移行する。
【０１１１】
Ｓ４５において、温度が１０℃未満あるいは湿度が２０％未満でない場合（すなわち、温度が１０℃以上かつ湿度が２０％以上である場合）、機構制御部４１Ａは、図９の転写電圧設定テーブル４５２の設定のうち、テーブルＴ２をＲＯＭ４５から読み込む（Ｓ４６）。
【０１１２】
機構制御部４１Ａは、受信した情報から各構成要素を駆動させて、印刷動作を開始する（Ｓ４７）。次に、感光ドラム３上のトナー画像が１次転写ニップ部に到達するタイミングに合わせて、１次転写電圧値を印加する（Ｓ４８）。このとき、機構制御部４１Ａは、読み込んだ普通紙モードの転写電圧設定テーブル４５２のテーブルＴ２に従った１次転写電圧値を印加するよう高圧制御部４７に指示し、１次転写電圧発生部５５が各１次転写ローラに対して１次転写電圧値を制御する。すなわち、１次転写ローラ１１Ｙ、１１Ｍ、１１Ｃ、１１Ｋには、「１５００Ｖ」電圧が印加され、中間転写ベルト１２にトナー画像が転写される（Ｓ４９）。次に、中間転写ベルト１２上に転写されたトナー画像は、２次転写ニップ部に搬送されて、所定の２次転写電圧値を印加することで記録媒体１６に転写される（Ｓ３９）。このとき、機構制御部４１Ａは、読み込んだ普通紙モードの転写電圧設定テーブル４５２のテーブルＴ２に従った２次転写電圧値を印加するよう高圧制御部４７に指示し、２次転写電圧発生部５６が２次転写電圧値を制御する。すなわち、２次転写ローラ２２には「１４００Ｖ」電圧が印加される。そして、２次転写ニップ部を通過した記録媒体１６は定着器２３で定着されて、スタッカ２８に排出されて印刷動作が完了する（Ｓ４０）。
【０１１３】
一方、Ｓ４５において、温度が１０℃未満あるいは湿度が２０％未満である場合、機構制御部４１Ａは、図９の転写電圧設定テーブル４５２の設定のうち、テーブルＴ１をＲＯＭ４５から読み込む（Ｓ５０）。
【０１１４】
機構制御部４１Ａは、受信した情報から各構成要素を駆動させて、印刷動作を開始する（Ｓ５１）。次に、感光ドラム３上のトナー画像が１次転写ニップ部に到達するタイミングに合わせて、１次転写電圧値を印加する（Ｓ５２）。このとき、機構制御部４１Ａは、読み込んだ普通紙モードの転写電圧設定テーブル４５２のテーブルＴ１に従った１次転写電圧値を印加するよう高圧制御部４７に指示し、１次転写電圧発生部５５が各１次転写ローラに対して１次転写電圧値を制御する。すなわち、１次転写ローラ１１Ｙ、１１Ｍ、１１Ｃ、１１Ｋには、「１６００Ｖ」電圧が印加され、中間転写ベルト１２にトナー画像が転写される（Ｓ５３）。次に、中間転写ベルト１２上に転写されたトナー画像は、２次転写ニップ部に搬送されて、所定の２次転写電圧値を印加することで記録媒体１６に転写される（Ｓ３９）。このとき、機構制御部４１Ａは、読み込んだ普通紙モードの転写電圧設定テーブル４５２のテーブルＴ１に従った２次転写電圧値を印加するよう高圧制御部４７に指示し、２次転写電圧発生部５６が２次転写電圧値を制御する。すなわち、２次転写ローラ２２には「１８００Ｖ」電圧が印加される。そして、２次転写ニップ部を通過した記録媒体１６は定着器２３で定着されて、スタッカ２８に排出されて印刷動作が完了する（Ｓ４０）。
【０１１５】
（Ｂ−３）第２の実施形態の効果
以上のように、第２の実施形態によれば、第１の実施形態の効果に加えて、環境センサにより検知された印刷環境に基づき、低湿環境及び低温環境、又は、低湿環境あるいは低温環境の場合に、記録媒体にＯＨＰフィルムを使用する際の搬送方向最下流の画像形成ユニット２Ｋの１次転写電圧値を上げる制御を行なう。したがって、放電模様の発生しない温度及び又は湿度の場合は、不要に１次転写電圧値を高くすることなく、放電模様の発生する低温及び低湿の場合において、放電模様の発生しない印刷結果を得ることができる。
【０１１６】
（Ｃ）他の実施形態
上述した第１及び第２の実施形態においても種々の変形実施形態を言及したが、本発明は、以下の変形実施形態にも適用可能である。
【０１１７】
（Ｃ−１）第１、第２の実施形態では、４つの画像形成ユニット２Ｙ、２Ｍ、２Ｃ、２Ｋを印刷に使用している場合について説明したが、画像形成ユニットの数、順序、また画像形成ユニットに使用されるトナーの色によるものではない。すなわち、ＯＨＰフィルムを使用した場合において、印刷に使用される画像形成ユニットのうち最下流の画像形成ユニットの１次転写電圧を、記録媒体が普通紙である場合より高くすることで、ＯＨＰフィルムを放電模様が発生することなく印刷することができる。
【０１１８】
例えば、中間転写体としての中間転写ベルトの搬送方向に対して、下流側の画像形成ユニットの１次転写ローラへの印加電圧値は、上流側の画像形成ユニットの１次転写ローラへの印加電圧値よりも高く設定できればよい。より具体的には、図１の例の場合、１次転写ローラ１１Ｙに「１２００Ｖ」、１次転写ローラ１１Ｍに「１４００Ｖ」、１次転写ローラ１１Ｃに「１６００Ｖ」、１次転写ローラ１１Ｋに「３２００Ｖ」等としても良い。これにより、下流側の１次転写ローラへの印加電圧値が、上流側の１次転写ローラの印加電圧値よりも高く設定でき、更には、最下流側の１次転写ローラへの印加電圧値が、上流側の１次転写ローラの印加電圧値よりも高く設定できる。
【０１１９】
（Ｃ−２）上述した第１の実施形態に係る図３、上述した第２の実施形態に係る図９に示す１次転写電圧値及び２次転写電圧値の値は、図３、図９に示す値に限定されるものではない。例えば、１次転写電圧値は、３２００Ｖ以上であれば、中間転写体上に現像剤像を保持することができることから、ＯＨＰモードのときの１次転写電圧値は３２００Ｖに限定されず、３２００Ｖ以上の値であっても良い。
【０１２０】
（Ｃ−３）第１及び第２の実施形態で説明した転写電圧設定テーブルの各１次転写電圧値の値は、固定値である必要はなく、可変値であっても良い。
【０１２１】
例えば、上述した第１及び第２の実施形態では、最下流の画像形成ユニットに対向する１次転写ローラのみの１次転写電圧値のみを、他の１次転写ローラの電圧値よりも大きく設定していた。しかし、図１に例示する複数種類の現像剤を用いる画像形成装置において、例えばブラックトナーを用いない現像剤像を形成するとき（すなわち、最下流の画像形成ユニットを用いないで画像を形成するとき）等のように使用する画像形成ユニットに応じて、下流側の１次転写ローラへの印加電圧値が、上流側の１次転写ローラへの印加電圧値よりも大きく設定変更するようにしても良い。このように、最下流の画像形成ユニットを使用しない場合でも、下流側の１次転写ローラへの印加電圧値を大きくすることで、第１及び第２の実施形態の効果と同等の効果を奏する。
【０１２２】
（Ｃ−４）第２の実施形態では、（１）低温環境及び低湿環境、（２）低湿環境、（３）低温環境の３つの環境状態を判断し、これら３つの環境状態のときに、下流側の１次転写ローラへの印加電圧値を他の１次転写ローラへの印加電圧値よりも大きくする場合を例示した。第２の実施形態では、上記３個の環境状態のときに、同じテーブルＴ３を用いる場合を例示したが、上記３個の環境状態で、それぞれ異なるテーブルを用いて電圧制御を行なうようにしても良い。
【符号の説明】
【０１２３】
１及び１Ａ…画像形成装置、２Ｙ、２Ｍ、２Ｃ及び２Ｋ…画像形成ユニット、１１Ｙ、１１Ｍ、１１Ｃ及び１１Ｋ…１次転写ローラ、１２…中間転写ベルト、１３…駆動ローラ、１４…従動ローラ、１５…２次転写バックアップローラ、２２…２次転写ローラ、２３…定着器、４１及び４１Ａ…機構制御部、４４…メモリ、４５…ＲＯＭ、４５１及び４５２…転写電圧設定テーブル、３２…環境センサ、４７…高圧制御部、５５…１次転写電圧発生部、５６…２次転写電圧発生部。
【図１】
2016009085.tif 000003
【図２】
2016009085.tif 000004
【図３】
2016009085.tif 000005
【図４】
2016009085.tif 000006
【図５】
2016009085.tif 000007
【図６】
2016009085.tif 000008
【図７】
2016009085.tif 000009
【図８】
2016009085.tif 000010
【図９】
2016009085.tif 000011
【図１０】
2016009085.tif 000012